(57)【要約】【課題】無駄な受信を抑制し、受信失敗時の要因を判別可能な、携帯通信端末および通信システムならびに携帯通信端末の受信制御方法を提供する。【解決手段】携帯通信端末（制御部１８）は、ＭＣ番組配信日時に至ったときに、ＭＣ番組配信サーバ５から通知された配信エリア情報中に現在待受けているエリア情報と整合するものがあれば、ＭＣ番組情報の受信を開始し、整合するものがなければ、すなわち、配信エリア外にいる場合ＭＣ番組情報の受信を行なわない。また、ＭＣ番組情報の受信失敗時（ＭＣ受信タイムアウト）、ＭＣ番組配信サーバ５から通知された配信エリア情報中に現在待受けているエリア情報と一致するものがなければ、ユーザに対し、“配信エリア外のためＭＣ受信失敗”の旨の通知を行い、一致するものがあれば、“電波環境が悪いためＭＣ受信失敗”の旨の通知を行う。【選択図】図２
2009010684.tif 000002
【特許請求の範囲】
【請求項１】
網側装置から配信されるコンテンツを受信する受信部と、
前記コンテンツの配信情報である少なくとも配信エリア情報と配信時刻情報とを記憶する記憶部と、
位置情報を取得する位置情報取得部と、を備え、
前記受信部は、
前記記憶部に記憶されている前記配信時刻情報に応じた時刻であるとき、前記記憶部に記憶されている前記配信エリア情報と前記位置情報取得部で取得された位置情報が整合する場合に、前記網側装置から配信される前記コンテンツを受信する
ことを特徴とする携帯通信端末。
【請求項２】
前記記憶部に記憶される前記配信エリア情報と前記配信時刻情報とは、前記網側装置から配信される情報、もしくは外部から手動で任意に設定入力される情報である
ことを特徴とする請求項１に記載の携帯通信端末。
【請求項３】
前記コンテンツの受信状況を判定する判定部を備え、
前記判定部は、
前記配信時刻情報に応じた時刻の経過後に前記受信部で前記コンテンツが受信できていないときに、前記位置情報取得部で取得された位置情報が、前記記憶部に記憶されている前記配信エリア情報と整合がとれていない場合には配信エリア外として受信されていないと判定する
ことを特徴とする請求項１または２に記載の携帯通信端末。
【請求項４】
前記判定部は、
前記位置情報が、前記記憶部に記憶されている前記配信エリア情報と整合がとれている場合には、電波環境により受信されていないと判定する
ことを特徴とする請求項３に記載の携帯通信端末。
【請求項５】
前記判定部による判定結果を報知する報知部、
を備えたことを特徴とする請求項３または４に記載の携帯通信端末。
【請求項６】
前記受信部は、
前記配信エリア情報と前記位置情報とが整合せずに前記コンテンツが受信されなかった場合、後に位置情報取得部により取得される位置情報が前記配信エリア情報に整合すると、前記受信されなかったコンテンツの受信を行う
ことを特徴とする請求項１乃至５のいずれか１項に記載の携帯通信端末。
【請求項７】
前記受信部は、
前記コンテンツの受信中に、前記位置情報が前記配信エリア情報と整合しなくなった場合、前記コンテンツの受信を抑制する
ことを特徴とする請求項１乃至６のいずれか１項に記載の携帯通信端末。
【請求項８】
コンテンツと、前記コンテンツの配信情報である少なくとも配信エリア情報と配信時刻情報とを配信する網側装置と、
前記網側装置とは移動通信網を介して接続され、少なくとも記憶部と位置情報取得部とを備え、前記網側装置により配信され、前記記憶部に記憶される前記配信時刻情報に応じた時刻であるとき、前記記憶部に記憶されている前記配信エリア情報と前記位置情報取得部で取得された位置情報が整合する場合に、前記網側装置から配信される前記コンテンツを受信する携帯通信端末と、
を備えたことを特徴とする通信システム。
【請求項９】
コンテンツを配信する網側装置とは移動通信網を介して接続される携帯通信端末の受信制御方法であって、
前記網側装置から、前記コンテンツの配信情報である少なくとも配信エリア情報と配信時刻情報とを受信するステップと、
位置情報を取得するステップと、
前記配信時刻情報に応じた時刻であるとき、前記配信エリア情報と前記取得された位置情報が整合するか否かを判定するステップと、
前記判定の結果、整合する場合に、前記網側装置から配信される前記コンテンツを受信するステップと、
を有することを特徴とする携帯通信端末の受信制御方法。
【発明の詳細な説明】
【技術分野】
【０００１】
本発明は、コンテンツを配信する網側装置とは移動通信網を介して接続される、携帯通信端末および通信システムならびに携帯通信端末の受信制御方法に関する。
【背景技術】
【０００２】
情報の配信技術の一例として、不要なコンテンツの受信を抑制するために、携帯通信端末からの配信要求に応じたコンテンツに対応付けられたエリア情報と携帯通信端末から送信された位置情報とが合致する場合に携帯通信端末に向けてコンテンツデータを配信する配信技術が知られている（例えば、特許文献１参照）。
【０００３】
上記した配信技術の一つにＢＣＭＣＳ（Broadcast/Multicast Services）がある。ＢＣＭＣＳは、基地局からエリアに属する多くの携帯通信端末に同時に情報を送信する同報通信のための技術である。上記したＢＣＭＣＳは、マルチキャスト配信番組の１番組で地域毎に異なった内容の番組（以下、ＭＣ地域配信番組という）を配信できる仕組みになっている。ＢＣＭＣＳは、ＣＤＭＡ（Code Division Multiple Access）２０００ １ｘ、ＥＶＤＯ（Evolution Data Only）の規格に含まれ、既に実用化されている。
【０００４】
ＭＣ地域配信番組の購入から番組受信に至るＢＣＭＣＳに対応した携帯通信端末の手順について、図７のシーケンス図を参照しながら簡単に説明する。
ここでは携帯通信端末としてＢＣＭＣＳ対応のチップセットを内蔵した携帯電話を例示しており、携帯電話７０と、基地局群７１（ここでは東北エリア基地局群と関東エリア基地局群）と、ＭＣ番組配信サーバ７２との間のシーケンスが示されている。なお、携帯電話７０については、内蔵するＢＣＭＣＳ−ＤＢ７０１と、ＢＣＭＣＳアプリ７０２と、プロトル７０３とに分けて示されている。
【０００５】
図７において、まず、ＭＣ番組で、地域毎（東北、関東等）に内容が違う場合、そのＭＣ地域配信番組購入時、ＭＣ番組配信サーバ７２から携帯電話７０に対し、地域毎にＭＣ番組配信日時と、番組を識別するためのＩＤであるフローＩＤ（以下、ＭＣ番組情報という）とが通知される（ステップＳ７１）。
通知を受けた携帯電話７０は、そのＭＣ番組情報をＢＣＭＣＳ−ＤＢ７０１に記録する（ステップＳ７２）。続いて、携帯電話７０（ＢＣＭＣＳアプリ７０２）は、ＭＣ地域配信番組の配信日時になったとき、「ＭＣ受信タイマ」による時間監視を開始し、地域毎のフローＩＤを全て検索し、受信対象としてＭＣ受信を開始する（ステップＳ７３）。
【０００６】
なお、「ＭＣ受信タイマ」は、ＭＣ地域配信番組購入時にＭＣ番組配信サーバ７２から指定されるＭＣタイムアウト値（秒単位）を監視するタイマである。このＭＣ受信タイマがタイムアウト等によりＭＣ番組が受信できない場合、携帯電話７０（ＢＣＭＣＳアプリ７０２）は、番組受信が失敗したとして処理を終了し、指定ＭＣ番組の番組情報が受信できた時点でＭＣ受信タイマによる時間監視を停止する。
【０００７】
一方、基地局群７１は、ＭＣ地域配信番組の配信日時に達したとき、ＢＯＭ（Broadcast Overhead Message）でフローＩＤの報知を開始する（ステップＳ７４）。これを受けて携帯電話７０（ＢＣＭＣＳアプリ７０２）は、最初に見つかったフローＩＤに対応するＭＣ地域配信番組の受信を開始する（ステップＳ７５）。ＭＣ番組配信サーバ７２は、関東エリアに対しては、関東エリア用のフローＩＤに対応したマルチキャストＩＰポート（ＭＣ地域配信番組受信窓口）に向けてＭＣ番組の配信を開始する。東北エリアに対しても同様に配信を開始する（ステップＳ７６）。
【０００８】
携帯電話７０（ＢＣＭＣＳアプリ７０２）は、受信した地域番組以外は、ＭＣ受信対象から削除（受信停止）する。携帯電話７０は、関東エリアにいた場合、関東エリアＭＣ地域番組用のフローＩＤを報知している地域局が見つかるため、関東エリア用のＭＣ地域番組を受信することになる（ステップＳ７７）。
【特許文献１】特開２００５−１８４２７１号公報
【発明の開示】
【発明が解決しようとする課題】
【０００９】
図８に、関東エリアで待ち受け中の上記した手順（Ｓ７１〜Ｓ７７）のそれぞれに対応したシーケンス図が示されている。
すなわち、ＢＣＭＣＳに対応した従来の携帯通信端末によれば、ステップＳ８１に示されるように、北海道エリア、東北エリアでのみ配信するＭＣ番組を想定した場合、現在関東エリアにいた場合でも、ＭＣ地域番組配信日時になると、配信エリア外で待受けているにもかかわらず、無条件にＭＣ受信動作を開始してしまう。
このため、ＭＣ受信タイマがタイムアウト（数十秒間）するまで、指定のフローＩＤの検索受信動作を行い、その間、不要な電流を消費する。指定のフローＩＤ検索中は、ＥＶＤＯデュアルスロットモード（通常の待受けチャネルとＢＣＭＣＳチャネルの両方を受信するモード）で受信動作を行うため、通常の待受け時よりも多く電流を消費する。
【００１０】
上記したように、従来、携帯電話７０が、現在どのエリアに属しているかについての情報と、ＭＣ地域配信番組が配信されるエリアの情報（携帯電話７０が現在どこにいるかを認識する情報とリンクした情報）を認識できる手段がないため、携帯電話７０は、ＭＣ番組配信日時になると、現在配信エリア外で待受けているにもかかわらず、不要なＭＣ受信動作を開始してしまうといった課題を有していた。
また、図８中、ステップＳ８２に示されるように、ＭＣ地域配信番組受信失敗が、配信エリア外のためか、あるいは受信環境による失敗なのかをユーザが判別することができないといった課題も有していた。
【００１１】
本発明は上記した課題を解決するためになされたものであり、無駄な受信を抑制可能な、携帯通信端末および通信システムならびに携帯通信端末の受信制御方法を提供することを目的とする。
【課題を解決するための手段】
【００１２】
上記した課題を解決するために本発明の携帯通信端末は、網側装置から配信されるコンテンツを受信する受信部と、前記コンテンツの配信情報である少なくとも配信エリア情報と配信時刻情報とを記憶する記憶部と、位置情報を取得する位置情報取得部と、を備え、前記受信部は、前記記憶部に記憶されている前記配信時刻情報に応じた時刻であるとき、前記記憶部に記憶されている前記配信エリア情報と前記位置情報取得部で取得された位置情報が整合する場合に、前記網側装置から配信される前記コンテンツを受信する。
【００１３】
また、本発明の携帯通信端末において、前記記憶部に記憶される前記配信エリア情報と前記配信時刻情報とは、前記網側装置から配信される情報、もしくは外部から手動で任意に設定入力される情報である。
【００１４】
また、本発明の携帯通信端末において、前記コンテンツの受信状況を判定する判定部を備え、前記判定部は、前記配信時刻情報に応じた時刻の経過後に前記受信部で前記コンテンツが受信できていないときに、前記位置情報取得部で取得された位置情報が、前記記憶部に記憶されている前記配信エリア情報と整合がとれていない場合には配信エリア外として受信されていないと判定するように構成してもよい。
【００１５】
また、本発明の携帯通信端末において、前記判定部は、前記位置情報が、前記記憶部に記憶されている前記配信エリア情報と整合がとれている場合には、電波環境により受信されていないと判定するように構成してもよい。
【００１６】
また、本発明の携帯通信端末において、前記判定部による判定結果を報知する報知部、を備えてもよい。
【００１７】
また、本発明の携帯通信端末において、前記受信部は、前記配信エリア情報と前記位置情報とが整合せずに前記コンテンツが受信されなかった場合、後に位置情報取得部により取得される位置情報が前記配信エリア情報に整合すると、前記受信されなかったコンテンツの受信を行うように構成してもよい。
【００１８】
また、本発明の携帯通信端末において、前記受信部は、前記コンテンツの受信中に、前記位置情報が前記配信エリア情報と整合しなくなった場合、前記コンテンツの受信を抑制するように構成してもよい。
【００１９】
上記した課題を解決するために本発明の通信システムは、コンテンツと、前記コンテンツの配信情報である少なくとも配信エリア情報と配信時刻情報とを配信する網側装置と、前記網側装置とは移動通信網を介して接続され、少なくとも記憶部と位置情報取得部とを備え、前記網側装置により配信され、前記記憶部に記憶される前記配信時刻情報に応じた時刻であるとき、前記記憶部に記憶されている前記配信エリア情報と前記位置情報取得部で取得された位置情報が整合する場合に、前記網側装置から配信される前記コンテンツを受信する携帯通信端末と、を備えている。
【００２０】
上記した課題を解決するために本発明の携帯通信端末の受信制御方法は、コンテンツを配信する網側装置とは移動通信網を介して接続される携帯通信端末の受信制御方法であって、前記網側装置から、前記コンテンツの配信情報である少なくとも配信エリア情報と配信時刻情報とを受信するステップと、位置情報を取得するステップと、前記配信時刻情報に応じた時刻であるとき、前記配信エリア情報と前記取得された位置情報が整合するか否かを判定するステップと、前記判定の結果、整合する場合に、前記網側装置から配信される前記コンテンツを受信するステップと、を有する。
【発明の効果】
【００２１】
本発明によれば、無駄な受信を抑制可能な、携帯通信端末および通信システムならびに携帯通信端末の受信制御方法を提供することができる。
【発明を実施するための最良の形態】
【００２２】
図１は、本発明の実施の形態に係る通信システムのシステム構成の一例を示す図である。図１に示されるように、本発明の実施の形態に係る通信システムは、携帯通信端末としての携帯電話１と、網側装置としての複数の基地局サーバ３およびＭＣ番組配信サーバ５とにより構成される。携帯電話１は、基地局サーバ３と移動通信網２を介して接続され、ＭＣ番組配信サーバ５とは更にＩＰ（Internet Protocol）網４を介して接続される。
【００２３】
上記構成において、ＭＣ番組配信サーバ５は、コンテンツ（地域配信番組）と、当該コンテンツの配信情報である少なくとも配信エリア情報と配信時刻情報とを配信し、これを基地局サーバ３経由で受信する携帯電話１は、配信時刻情報に応じた時刻であるとき、記憶されている配信エリア情報と現在位置情報とが整合（合致）する場合に、ＭＣ番組配信サーバ５から配信されるコンテンツを受信する機能を有する。これら機能の詳細については後述する。
【００２４】
図２は、本発明の実施の形態に係る携帯通信端末の内部構成を示すブロック図である。ここでも携帯通信端末として携帯電話が例示されている。
【００２５】
図２に示されるように、携帯電話１は、通信部１１と、操作部１２と、音声処理部１３と、スピーカ（ＳＰ）１４と、マイクロフォン（ＭＩＣ）１５と、表示部１６と、記憶部１７と、制御部１８とにより構成される。
【００２６】
通信部１１は、複数の通信システムを捕捉し、例えば、ＣＤＭＡ２０００ １ｘ（以下、単に１ｘという）やＥＶＤＯの通信プロトコルにしたがい、移動通信網２に接続される基地局を含む網側装置との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００２７】
操作部１２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１８に入力する。
【００２８】
音声処理部１３は、ＳＰ１４から出力される音声信号やＭＩＣ１５において入力される音声信号の処理を行う。
すなわち、音声処理部１３は、ＭＩＣ１５から入力される音声を増幅し、アナログ／デジタル変換を行い、更に符号化等の信号処理を施し、デジタルの音声データに変換して制御部１８に出力する。
また、音声処理部１３は、制御部１８から供給される音声データに復号化、デジタル／アナログ変換、増幅等の信号処理を施し、アナログの音声信号に変換してＳＰ１４に出力する。
【００２９】
表示部１６は、例えば、液晶表示パネルや有機ＥＬ（Electro-Luminescence）パネルなどの表示デバイスを用いて構成されており、制御部１８から供給される映像信号に応じた画像を表示する。
表示部１６は、例えば、発信時における発信先の電話番号、着信時における着信相手の電話番号、受信メールや送信メールの内容、日付、時刻、電池残量、発信成否、待ち受け画面などの各種の情報や画像を表示する。
【００３０】
記憶部１７は、制御部１８において処理に利用される各種のデータを記憶する。例えば、制御部１８が実行するアプリケーションプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
ここでは、更に、ＭＣ番組配信サーバ５から配信されるコンテンツ（ＭＣ地域配信番組１７０）と、少なくとも配信エリア情報と配信時刻情報とを含むコンテンツ配信情報（ＭＣ番組情報１７１）とが保持される。
【００３１】
記憶部１７に保持されるコンテンツ配信情報（ＭＣ番組情報１７１）のデータ構造の一例が図３に示されている。
ここでは、配信エリアが関東エリアと東北エリアとなるＭＣ地域配信番組を購入した場合の動作を想定するため、ＭＣ番組情報として、（１）放送確認・更新チェック日時の他に、（２）関東エリア番組情報と、（３）東北エリア番組情報のデータ項目が示されている。すなわち、関東エリア番組情報や東北エリア番組情報には、ＭＣ番組配信日時と、フローＩＤと、マルチキャストＩＰポートと、ＭＣ受信タイムアウト値と、地域別フラグと、配信エリア情報として使用されるセクタＩＤが含まれている。図３中、下線表示してあるセクタＩＤが本発明において付加されるデータ項目である。
【００３２】
なお、上記した記憶部１７は、例えば、不揮発性の記憶デバイス（フラッシュメモリ）やランダムアクセス可能な記憶デバイス（ＳＲＡＭ、ＤＲＡＭ）等によって構成される。
【００３３】
制御部１８は、携帯電話の全体的な動作を統括的に制御する。すなわち、携帯電話の各種の処理（回線交換網を介して行われる音声通話、電子メールの作成と送受信、インターネットのＷｅｂ（World Wide Web）サイトの閲覧などの制御）が操作部１２の操作に応じて適切な手順で実行されるように、上述した各ブロックの動作（通信部１１における信号の送受信、音声処理部１３における音声の入出力、表示部１６における画像の表示など）を制御する。
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部１７に格納されるオペレーティングシステムやアプリケーションプログラム等のプログラムから命令コードを順次読み込んで処理を実行する。
【００３４】
制御部１８はまた、現在の時刻（年月日を含む）がＭＣ番組配信サーバ５により配信されるコンテンツ配信情報として、記憶部１７に記憶された配信時刻情報に応じた時刻であるとき（例えば、配信時刻となったとき、配信時刻を経過したとき、又は、配信期間中である、など）、記憶部１７に記憶されている配信エリア情報と、後述する位置情報取得部で取得された位置情報が整合（合致）する場合に、ＭＣ番組配信サーバ５により配信されるコンテンツを受信する機能を有する。
このため、制御部１８は、その内部構成が機能展開され示されるように、ＢＣＭＣＳアプリ実行制御部１８０と、プロトコル実行制御部１８１と、位置情報取得部１８２と、受信状況監視部１８３と、タイマ監視部１８４とにより構成される。なお、これらのブロックが持つ機能は、記憶部１７に記憶されるそれぞれのプログラムを制御部１８で実行することにより達成されるものであって、制御部１８内において実体的に他のブロックと区分され内蔵されるもののみを指すのではなく、あくまで説明の簡略化のために各処理部を分けて表現したものである。
【００３５】
ＢＣＭＣＳアプリ実行制御部１８０は、現在の時刻がＭＣ番組配信サーバ５により配信されるコンテンツ配信情報が記憶部１７に記憶されている配信時刻情報に応じた時刻であるとき、記憶部１７に記憶されている配信エリア情報と位置情報取得部１８２で取得された位置情報が整合する場合に、ＭＣ番組配信サーバ５から配信されるコンテンツを受信する受信部としての機能を司る。
また、ＢＣＭＣＳアプリ実行制御部１８０は、配信エリア情報と位置情報とが整合（合致）せずにコンテンツが受信されなかった場合、後に位置情報取得部１８２により取得される位置情報が配信エリア情報に整合すると、受信されなかったコンテンツの受信を行う。反対に、コンテンツの受信中に、位置情報が配信エリア情報と整合しなくなった場合、コンテンツの受信を抑制する受信部としての機能も司る。
なお、記憶部１７に記憶される配信エリア情報と配信時刻情報とは、ＭＣ番組配信サーバ５から配信される情報であり、あるいは、ユーザが操作部１２を手動で操作することにより任意に設定入力される情報であってもよい。
【００３６】
ＢＣＭＣＳアプリ実行制御部１８０はまた、配信時刻情報に応じた時刻の経過後にコンテンツが受信できていない場合に、位置情報取得部１８２で取得された位置情報が、記憶部１７に記憶されている配信エリア情報と整合がとれていない場合には配信エリア外として（配信エリア外のため）受信されていないと判定する判定部としての機能も司る。
このとき、ＢＣＭＣＳアプリ実行制御部１８０は、受信状況監視部１８３により監視される電波環境を判定要因として用いる。
なお、位置情報が、記憶部１７に記憶されている配信エリア情報と整合がとれた場合には、電波環境により（受信感度の悪化のため）受信されていないと判定し、この判定結果を、表示部１６もしくは音声処理部１３を駆動して報知する報知部としての機能も司る。
【００３７】
プロトコル実行制御部１８１は、通信部１１を制御して通常の待ち受けチャネルやＢＣＭＣＳチャネルを捕捉し、１ｘやＥＶＤＯの通信プロトコルにしたがい基地局を含む網側装置との間で無線通信を行う機能を有する。
【００３８】
また、位置情報取得部１８２は、基地局から送信される位置情報（セクタＩＤ）を取得してＢＣＭＣＳアプリ実行制御部１８０に引渡し、受信状況監視部１８３は、電波状況を監視してＢＣＭＣＳアプリ実行制御部１８０に引き渡す。
【００３９】
なお、タイマ監視部１８４は、現在時刻を計時するとともに、ＢＣＭＣＳアプリ実行制御部１８０による制御の下、番組購入時にＭＣ番組配信サーバ５から指定されるＭＣ受信タイムアウト値の時間監視も行う。
【００４０】
図４〜図６は、本発明の実施の形態に係る携帯通信端末の動作を説明するために引用したフローチャートであり、ＭＣ地域配信番組購入時の動作（図４）、ＭＣ地域配信番組が配信時刻に至った場合の動作（図５）、ＭＣ地域配信番組受信待ち状態での動作（図６）、のそれぞれを示す。
以下、図４〜図６のフローチャートを参照しながら、図１〜図３に示す本発明の実施の形態に係る携帯通信端末の動作について詳細に説明する。
【００４１】
まず、図４のフローチャートにおいて、携帯電話１は、Ｗｅｂの接続などによりＩＰ網４を介してＭＣ番組配信サーバ５と通信接続を行い、ＭＣ地域配信番組の購入を申し込んだ場合、ＭＣ番組配信サーバ５から購入したＭＣ番組情報の配信を受け、このＭＣ番組情報は、通信部１１を経由して制御部１８（ＢＣＭＣＳアプリ実行制御部１８０）が取得し（ステップＳ４０１）、記憶部１７の所定の領域にＭＣ番組情報１７１として保存する（ステップＳ４０２）。
ＭＣ番組配信サーバ５は、ＭＣ番組情報を登録する際に、従来からある配信時刻情報などのＭＣ番組情報に加え、ＭＣ地域配信番組毎に配信エリア情報を登録しておき、番組を購入した（契約済みの）携帯通信端末１にこれらのＭＣ番組情報を通知するものとした。ここで、配信エリア情報は、携帯通信端末でも容易に取得が可能であり、また、位置情報としても使用可能なセクタＩＤ（基地局毎に割り当てられたＩＤ）とした。ＭＣ番組情報１７１のデータ構造は図３に示したとおりであり、この中に配信エリア情報であるセクタＩＤが含まれる。
【００４２】
次に、図５のフローチャートを用いてＭＣ地域配信番組の配信時刻に至った場合の携帯通信端末（携帯電話１）の動作について説明する。ここでは、制御部１８は、ＭＣ地域配信番組の開始時刻待ちの状態で待機している。すなわち、制御部１８のタイマ監視部１８４は常に現在時刻を計時しており、現在時刻が、記憶部１７に保持されているＭＣ番組情報１７１の一つであるＭＣ番組配信日時に至ったことが検出された場合にイベントを発行してＢＣＭＣＳアプリ実行制御部１８０を起動する（ステップＳ５０１）。
このことにより、ＢＣＭＣＳアプリ実行制御部１８０は、基地局から位置情報取得部１８２経由で現在待ち受けているセクタＩＤを取得し（ステップＳ５０２）、記憶部１７のＭＣ番組情報１７１を参照して該当ＭＣ配信地域番組の配信エリア情報中に現在待ち受けしているセクタＩＤがあるか検索を行う（ステップＳ５０３）。
【００４３】
上記した検索結果、該当ＭＣ配信地域番組の配信エリア情報の中に現在待ち受けているセクタＩＤに整合するセクタＩＤ（エリア情報）があれば（ステップＳ５０４“Ｙｅｓ”）、ＢＣＭＣＳアプリ実行制御部１８０は、整合したＭＣ地域配信番組のフローＩＤを取得し（ステップＳ５０５）、更に、取得済みのＭＣ受信タイムアウト値に基づきタイマ監視部１８４を起動してＭＣ受信タイマによる計時を開始する（ステップＳ５０６）。
また、ＢＣＭＣＳアプリ実行制御部１８０は、ＭＣ番組情報の受信を開始したフローＩＤを記憶部１７に保持するとともに（ステップＳ５０７）、該当ＭＣ地域配信番組のマルチキャストＩＰポートをオープンして（ステップＳ５０８）、該当ＭＣ地域配信番組のフローＩＤの受信を開始してＭＣ地域配信番組の受信待ち状態に遷移する（ステップＳ５０９）。
【００４４】
なお、ステップＳ５０４で、検索結果、配信日時に至ったＭＣ配信地域番組の配信エリア情報の中に現在待ち受けているセクタＩＤに整合するセクタＩＤ（エリア情報）がなければ（ステップＳ５０４“Ｎｏ”）、ＢＣＭＣＳアプリ実行制御部１８０は、ＭＣ受信タイマによるタイムアウト監視を再開し、ＭＣ地域配信番組受信待ち状態へ遷移する（ステップＳ５１０）。
【００４５】
次に、ＭＣ地域配信番組（コンテンツ）受信待ち状態での携帯通信端末の動作について図６のフローチャートを参照しながら詳述する。
ここでは、（ａ）ＭＣ受信タイムアウトイベントが発生した場合と、（ｂ）現在待ち受けセクタの変更イベントが発生した場合と、（ｃ）ＭＣ地域番組（コンテンツ）受信イベントが発生した場合のそれぞれの動作について示されている。
【００４６】
まず、ＭＣ地域配信番組受信待ち状態において、（ａ）ＭＣ番組情報の受信タイムアウトイベントが発生した場合、すなわち、ＭＣ番組情報の受信を開始してからＭＣ番組配信サーバ５から指定された時間（ＭＣ受信タイムアウト値）内に、ＭＣ地域配信番組を受信できなかった場合（ステップＳ６０１）、ＢＣＭＣＳアプリ実行制御部１８０は、既にＭＣ番組情報の受信を開始している該当地域配信番組のマルチキャストＩＰポートをクローズし（ステップＳ６０２）、また、既にＭＣ番組情報の受信を開始している該当地域配信番組のフローＩＤの受信動作を全て停止する（ステップＳ６０３）。更に、記憶部１７のＭＣ番組情報１７１に保持しているフローＩＤ情報を全てクリアする（ステップＳ６０４）。
【００４７】
次に、ＢＣＭＣＳアプリ実行制御部１８０は、受信状況監視部１８３から取得される電波状況により携帯電話１が圏内状態にあるか否かを判定し（ステップＳ６０５）、圏内状態にある場合は（ステップＳ６０５“Ｙｅｓ”）、位置情報取得部１８２から現在待ち受けているセクタＩＤを取得し（ステップＳ６０６）、記憶部１７のＭＣ番組情報１７１を参照して該当ＭＣ地域配信番組の配信エリア情報中に現在待ち受けているセクタＩＤがあるか否かについて検索する（ステップＳ６０７）。
【００４８】
検索結果、該当するＭＣ地域配信番組の配信エリア情報に現在待ち受けているセクタＩＤに整合するセクタＩＤ（エリア情報）がなければ、すなわち、現在待ち受けているエリアが配信エリア外の場合（ステップＳ６０８“Ｎｏ”）、ＢＣＭＣＳアプリ実行制御部１８０は、表示部１６、もしくは音声処理部１３によりユーザに対し、“配信エリア外のためＭＣ受信を失敗した”旨を通知する（ステップＳ６０９）。また、検索結果、該当ＭＣ地域配信番組の配信エリア情報に現在待ち受けているセクタＩＤに整合するセクタＩＤ（エリア情報）があれば（ステップＳ６０８“Ｙｅｓ”）、あるいは、圏外にある場合（ステップＳ６０５“Ｎｏ”）、ＢＣＭＣＳアプリ実行制御部１８０は、表示部１６、もしくは音声処理部１３によりユーザに対し、“電波状態によりＭＣ受信を失敗した”旨を通知する（ステップＳ６１０）。
【００４９】
次に、ＭＣ地域配信番組受信待ち状態において、（ｃ）ＭＣ地域配信番組の受信イベントが成功した場合、すなわち、該当ＭＣ地域配信番組の配信エリア情報と現在待ち受けているセクタＩＤとが整合している場合、ＭＣ地域配信番組の番組サイズ（受信データサイズ）などのコンテンツ情報を受信し（ステップＳ６１１）、ＢＣＭＣＳアプリ実行制御部１８０は、タイマ監視部１８４を制御してＭＣ受信タイマによる監視を停止する（ステップＳ６１２）。そして、ＭＣ地域配信番組の本体データの受信処理に遷移し、該当するＭＣ地域配信番組の本体データの受信を行う。
【００５０】
最後に、（ｂ）現在待ち受けセクタの変更イベントが発生した場合（ステップＳ６２１）、すなわち、ＭＣ地域配信番組の受信を開始してから携帯電話１が移動して別のエリアへ移動した場合等において、ＢＣＭＣＳアプリ実行制御部１８０は、位置情報取得部１８２経由で現在待ち受けているセクタＩＤを取得し（ステップＳ６２２）、記憶部１７のＭＣ番組情報１７１を参照して該当ＭＣ配信地域番組のエリア配信情報中に現在待ち受けしているセクタＩＤがあるか否かの検索を行う（ステップＳ６２３）。
上記した検索結果、現在待ち受けているセクタＩＤに整合する配信エリア情報を有するＭＣ地域配信番組があれば（ステップＳ６２４“Ｙｅｓ”）、ＢＣＭＣＳアプリ実行制御部１８０は、整合したＭＣ地域配信番組のフローＩＤを取得する（ステップＳ６２５）。
【００５１】
ＢＣＭＣＳアプリ実行制御部１８０は更に、移動時に取得したフローＩＤと、既にＭＣ番組情報の受信を開始しているＭＣ地域配信番組のフローＩＤと一致するか否かを判定し（ステップＳ６２６）、一致しなければ（ステップＳ６２６“Ｎｏ”）、受信を開始したＭＣ番組情報を記憶部１７のＭＣ番組情報１７１中に追加で保持する（ステップＳ６２７）。そして、該当ＭＣ地域配信番組のマルチキャストＩＰポートをオープンして（ステップＳ６２８）、該当ＭＣ地域配信番組のフローＩＤの受信を開始してＭＣ地域配信番組の受信待ち状態に遷移する（ステップＳ６２９）。
なお、ステップＳ６２６で、移動時に取得したフローＩＤと、既にＭＣ番組情報の受信を開始しているＭＣ地域配信番組のフローＩＤと一致した場合は（ステップＳ６２６“Ｙｅｓ”）、現在待ち受けセクタの変更イベントが発生した場合の処理を終了する。
【００５２】
一方、ステップＳ６２４において、検索結果、現在待ち受けているセクタＩＤに整合する配信エリア情報を有するＭＣ地域配信番組がなければ（ステップＳ６２４“Ｎｏ”）、ＢＣＭＣＳアプリ実行制御部１８０は、既にＭＣ地域配信番組の受信を開始している該当地域配信番組のマルチキャストＩＰポートをクローズし（ステップＳ６３０）、また、既にＭＣ地域配信番組の受信を開始している該当地域配信番組のフローＩＤの受信動作を全て停止する（ステップＳ６３１）。更に、記憶部１７のＭＣ番組情報１７１に保持しているフローＩＤ情報を全てクリアする（ステップＳ６３２）。すなわち、ＢＣＭＣＳアプリ実行制御部１８０は、携帯電話１が配信エリア外に移動した場合、既に開始しているＭＣ地域配信番組の受信動作を全て停止してＭＣ地域配信番組の受信待ち状態に遷移する。
【００５３】
以上説明のように本発明の実施の形態１に係る携帯通信端末（携帯電話１）は、制御部１８（ＢＣＭＣＳアプリ実行制御部１８０）が、記憶部１７に記憶されている配信時刻情報に応じて記憶部１７（ＭＣ番組情報１７１）に記憶されている配信エリア情報（セクタＩＤ）と位置情報取得部１８２で取得された位置情報（セクタＩＤ）が整合する場合に、網側装置（ＭＣ番組配信サーバ５および基地局サーバ３）から配信されるコンテンツ（ＭＣ地域配信番組）を受信する受信部として機能を担い、また、配信時刻情報に応じた時刻の経過後にコンテンツが受信できていない場合に、位置情報取得部１８２で取得された位置情報（セクタＩＤ）が、記憶部１７に記憶されている配信エリア情報（セクタＩＤ）と整合がとれていない場合には配信エリア外として受信されていないと判定し、また、位置情報が、記憶部１７に記憶されている配信エリア情報（セクタＩＤ）と整合がとれている場合には、電波環境により受信されていないと判定する判定部としての機能を担い、当該判定結果は、表示部１６もしくは音声処理部１３（スピーカ１４）を介して報知される。
【００５４】
なお、制御部１８（ＢＣＭＣＳアプリ実行制御部１８０）は、配信エリア情報と位置情報とが整合せずにコンテンツが受信されなかった場合、後に位置情報取得部１８２により取得される位置情報が配信エリア情報に整合した場合に、受信されなかったコンテンツの受信を行ってもよく、また、コンテンツの受信中に、位置情報が配信エリア情報と整合しなくなった場合、コンテンツの受信を抑制してもよい。
【００５５】
上記した本発明の実施の形態に係る携帯通信端末によれば、ＭＣ番組配信日時に至ったときに、ＭＣ番組配信サーバ５から通知された配信エリア情報中に現在待受けているエリア情報と整合するものがあれば、該当するコンテンツの受信を開始し、整合するものがなければ、すなわち、配信エリア外にいる場合、コンテンツの受信を行なわないことにより、不要なコンテンツの受信を抑制できるため、消費電流の削減に寄与することができる。また、コンテンツの受信失敗時（ＭＣ受信タイムアウト）に、ＭＣ番組配信サーバ５から通知された配信エリア情報中に現在待受けているエリア情報と一致するものがなければ、ユーザに対し、“配信エリア外のためＭＣ受信失敗”の旨の通知が可能になり、また、一致するものがあれば、“電波環境が悪いためＭＣ受信失敗”の旨の通知を行うことにより、ユーザビリティの向上がはかれる。
【００５６】
また、本発明の実施の形態に係る携帯通信端末の受信制御方法は、例えば、図１において、コンテンツを配信する網側装置（ＭＣ番組配信サーバ５、基地局サーバ３）とは移動通信網２を介して接続される携帯通信端末（携帯電話１）の受信制御方法であって、例えば、図４、図５に示すフローチャートにおいて、前記網側装置から、前記コンテンツの配信情報である少なくとも配信エリア情報と配信時刻情報とを受信するステップ（図４のＳ４０１、Ｓ４０２）と、位置情報を取得するステップ（図５のＳ５０２）と、前記配信時刻情報に応じた時刻であるとき、前記配信エリア情報と前記取得された位置情報が整合するか否かを判定するステップ（図５のＳ５０１〜Ｓ５０４）と、前記判定の結果、整合する場合に、前記網側装置から配信される前記コンテンツを受信するステップ（図５のＳ５０５〜Ｓ５１０）と、を有するものである。
【００５７】
上記した本発明の実施の形態に係る携帯通信端末の受信制御方法によれば、携帯通信端末（携帯電話１）は、ＭＣ地域配信番組の配信日時に至ったときに、網側装置（ＭＣ番組配信サーバ５）から通知された配信エリア情報中に現在待受けているエリア情報と整合するものがあれば、コンテンツ（ＭＣ地域配信番組）の受信を開始し、整合するものがなければ、すなわち、配信エリア外にいる場合、コンテンツの受信を行なわないことにより、無駄な受信を抑制することができるため、消費電流の削減が可能になる。
【００５８】
なお、上記した本発明の実施の形態に係る携帯通信端末によれば、携帯通信端末として携帯電話１のみ例示したが、同様の構成を有する、例えば、ＰＤＡ（Personal Digital Assistants）、やゲーム機等にも同様に適用が可能である。
また、図２に示す本発明の実施の形態に係る携帯通信端末が有する各構成ブロックの機能は、全てをソフトウェアによって実現しても、あるいはその少なくとも一部をハードウェアで実現してもよい。例えば、制御部１８を構成する、ＢＣＭＣＳアプリ実行制御部１８０、プロトコル実行制御部１８１、位置情報取得部１８２、受信状況監視部１８３、タイマ監視部１８４におけるデータ処理は、１または複数のプログラムによりコンピュータ上で実現してもよく、また、その少なくとも一部をハードウェアで実現してもよい。
【図面の簡単な説明】
【００５９】
【図１】本発明の実施の形態に係る通信システムのシステム構成の一例を示す図である。
【図２】本発明の実施の形態に係る携帯通信端末の内部構成を示すブロック図である。
【図３】図２に示す記憶部（ＭＣ番組情報）のデータ構造の一例を示す図である。
【図４】本発明の実施の形態に係る携帯通信端末の動作（ＭＣ地域配信番組の購入時の動作）を示すフローチャートである。
【図５】本発明の実施の形態に係る携帯通信端末の動作（ＭＣ地域配信番組が配信時刻に至った場合の動作）を示すフローチャートである。
【図６】本発明の実施の形態に係る携帯通信端末の動作（ＭＣ地域配信番組受信待ち状態での動作）を示すフローチャートである。
【図７】従来のＢＣＭＣＳに対応した携帯通信端末の動作手順を示すシーケンス図である。
【図８】従来のＢＣＭＣＳに対応した携帯通信端末の動作手順を示すシーケンス図である。
【符号の説明】
【００６０】
１…携帯通信端末（携帯電話）、２…移動通信網、３…基地局サーバ（網側装置）、４…ＩＰ網、５…ＭＣ番組配信サーバ（網側装置）、１１…通信部、１２…操作部、１３…音声処理部、１４…スピーカ（ＳＰ）、１５…マイク（ＭＩＣ）、１６…表示部、１７…記憶部、１７０…ＭＣ地域配信番組（コンテンツ）、１７１…ＭＣ番組情報（コンテンツの配信情報）、１８…制御部、１８０…ＢＣＭＣＳアプリ実行制御部（受信部、判定部、報知部）、１８１…プロトコル実行制御部、１８２…位置情報取得部、１８３…受信状況監視部、１８４…タイマ監視部。
【図１】
2009010684.tif 000003
【図２】
2009010684.tif 000004
【図３】
2009010684.tif 000005
【図４】
2009010684.tif 000006
【図５】
2009010684.tif 000007
【図６】
2009010684.tif 000008
【図７】
2009010684.tif 000009
【図８】
2009010684.tif 000010